(57)【要約】【課題】天井から複数個の灯具を吊持する場合に、各灯具の位置関係を自由に変更することのできる天井吊下灯と、そのための支持具を提供する。【解決手段】本発明の天井吊下灯１は、複数個の灯具２が、それぞれ可撓性を有するコード３を介して吊持されるとともに、両端が上記コード３の任意の位置に掛止され得るように形成された略棒状の支持具５が、上記各灯具２を吊持するコード３に掛止されて灯具２間に架け渡されることにより、各灯具２が相互の間隔を変更し得る状態で保持されるものである。【選択図】  図１
2005038734.tif 000002
【特許請求の範囲】
【請求項１】
複数個の灯具が、それぞれ可撓性を有するコードを介して吊持されるとともに、
両端が上記コードの任意の位置に掛止され得るように形成された略棒状の支持具が、上記各灯具を吊持するコードに掛止されて灯具間に架け渡されることにより、各灯具が相互の間隔を変更し得る状態で保持されることを特徴とする天井吊下灯。
【請求項２】
各コードが、天井の電源取出部に取り付け可能なフランジ内に束ねられて、出し入れ可能な状態で収容されたことを特徴とする請求項１に記載の天井吊下灯。
【請求項３】
可撓性を有するコードを介して灯具が吊持される天井吊下灯を、複数個、連結するための支持具であって、適宜長さの棒状体の両端に、上記コードの任意の位置に掛止され得るコード掛止部が設けられたことを特徴とする天井吊下灯の支持具。
【請求項４】
コード掛止部は、棒状体の一端に設けられたリングと、このリングの一箇所からリングの内側に向かって延出したフックとを備えることを特徴とする請求項３に記載の天井吊下灯の支持具。
【請求項５】
フックの先端近傍には、フックの側方に膨出するコード抜け止め突起が形成されたことを特徴とする請求項４に記載の天井吊下灯の支持具。
【発明の詳細な説明】
【技術分野】
【０００１】
本発明は、天井等からコードを介して吊り下げられる天井吊下灯（いわゆるペンダント型照明器具）に関し、特に、複数個の灯具を吊持するタイプの天井吊下灯と、そのための支持具に関する。
【背景技術】
【０００２】
例えば食卓用として、二〜三個の天井吊下灯を近接して設置するような場合、一般的には、天井に引掛シーリングボディ等の電源取出部を複数箇所設け、それぞれに引掛シーリングキャップ付きのコードを接続して複数個の灯具を吊り下げるか、あるいは一箇所の電源取出部に多灯型のコードハンガーを取り付け、このコードハンガーから複数個の灯具を吊り下げるといったが方法が採用されている。
【０００３】
また、特許文献１には、複数個の灯具を好みの位置に移動できるようにした天井吊下灯用フランジが提案されている。このフランジは、天井の電源取出部に接続される取付部を複数箇所備えており、取付部の選択によって灯具の位置を変更できるようになっている。
【特許文献１】実開平５−６５３１号公報
【発明の開示】
【発明が解決しようとする課題】
【０００４】
複数個の天井吊下灯を設置するにあたり、天井に複数箇所の電源取出部を設けるのは、配線設備が増える分だけ不経済になる。また、個々の灯具を好みの位置に移動するためには、天井に別途、コードフック等を取り付けるなどの面倒な作業が必要になる。
【０００５】
多灯型のコードハンガーを利用する場合でも、複数個の灯具の位置関係を自由に変更するのは困難であり、灯具の大きさによっては、灯具同士がぶつかって割れたりするおそれもある。
【０００６】
特許文献１記載のフランジも、フランジ自体に対する灯具の吊り下げ位置は固定されており、例えば三個の灯具を吊り下げた場合、それら三個の灯具の相対的な位置関係や高さを変更できるようにはなっていない。
【０００７】
本発明は、上記のような不都合を解消するためになされたもので、天井に設けられた一箇所の電源取出部に複数個の灯具を接続した場合でも、各灯具の位置関係を自由に変更することのできる天井吊下灯と、そのための支持具を提供することを目的とする。
【０００８】
なお、吊り下げ型の灯具を取り付け得る部位としては、天井以外にも、例えば吹き抜け空間の上部に飛ばした露出梁や、空中に突出する庇、棚板などが想定されるが、本発明においては、これらの部位も「天井」という概念に包含されるものとする。
【課題を解決するための手段】
【０００９】
上記目的を達成するため、本発明の天井吊下灯は、複数個の灯具が、それぞれ可撓性を有するコードを介して吊持されるとともに、両端が上記コードの任意の位置に掛止され得るように形成された略棒状の支持具が、上記各灯具を吊持するコードに掛止されて灯具間に架け渡されることにより、各灯具が相互の間隔を変更し得る状態で保持されることを特徴とする。
【００１０】
この発明によれば、コードに対する支持具の掛止位置を変えることにより、灯具の配置を自由に変更することができる。また、複数本のコードを束ねて一箇所から取り出すような場合であっても、灯具同士の間隔を支持具の長さの範囲内で自由に変更することができるので、灯具同士がぶつかって割れたりするのも防ぐことができる。
【００１１】
上記の発明においては、各コードが、天井の電源取出部に取り付け可能なフランジ内に束ねられて、出し入れ可能な状態で収容されてもよい。これによると、天井に設ける電源取出部は一箇所でも足り、配線設備を簡素化することができる。さらに、コードの引き出し長さを変えることで、灯具の高さも自由に変更することができる。
【００１２】
また、本発明の天井吊下灯の支持具は、可撓性を有するコードを介して灯具が吊持される天井吊下灯を、複数個、連結するための支持具であって、適宜長さの棒状体の両端に、上記コードの任意の位置に掛止され得るコード掛止部が設けられたことを特徴とする。
【００１３】
上記コード掛止部は、棒状体の一端に設けられたリングと、このリングの一箇所からリングの内側に向かって延出したフックとを備えるものが好ましい。これによると、構造が簡単で安価に製造することができるとともに、コードの係脱も容易であり、意匠的にも簡素で端正な印象が得られる。
【００１４】
上記コード掛止部のフックの先端近傍に、フックの側方に膨出するコード抜け止め突起を形成すれば、コードがフックの先端方向に滑ってリングから脱落するのを防止することができる。
【発明の効果】
【００１５】
本発明によれば、簡単な構造の支持具を複数本使用するだけで、複数個の灯具の配置を自由に変更することができる。支持具のコード掛止部をリングとフックとからなるものにすれば、コードの係脱も容易であり、意匠的にも簡素で端正な印象が得られる。
【００１６】
また、本発明によれば、複数本のコードを束ねて一箇所から取り出すような場合であっても、灯具同士の間隔を支持具の長さの範囲内で自由に変更することが可能であるから、灯具同士がぶつかって割れたりするのも防ぐことができる。したがって、天井に設ける電源取出部は一箇所で足り、配線設備を簡素化することができる。ただし、複数箇所の電源取出部に接続された別々のコードに対して本発明の支持具を利用することも可能である。
【発明を実施するための最良の形態】
【００１７】
以下、本発明の実施の形態について図面を参照しつつ説明する。
【００１８】
図１は、本発明の天井吊下灯を示す。例示の天井吊下灯１は、三個の灯具２が三本のコード３を介してそれぞれ吊持されるものである。三本のコード３は、いずれも一般的な可撓性を備える樹脂被覆コードで、天井の電源取出部（図示せず）に取り付けられたフランジ４内に束ねられた状態で収容されている。なお、本発明において、灯具２自体の形状や内部構造は特に限定されない。
【００１９】
例示の形態では、コード３に掛止される二本の支持具５を介して、三個の灯具２が横一列に保持されている。支持具５は、適宜の剛性と長さを有する棒状体５１の両端にコード掛止部５２を設けたもので、棒状体５１の断面形状は、円形、もしくは適宜の多角形など、任意である。
【００２０】
図２はコード掛止部５２の部分拡大図である。コード掛止部５２は、棒状体５１の一端に一体的に取り付けられた閉環状のリング５３と、棒状体５１の端部からリング５３の内側に向かって延出するフック５４とを備えている。フック５４の延出寸法は、リング５３の内径の半分よりは長く、かつ、リング５３の内径よりもコード３の太さ分だけ短くなるように形成されている。また、リング５３の大きさとフック５４の太さは、リング５３の内縁とフック５４の側面との間にコード３の太さよりも僅かに大きい隙間が生じる程度の寸法に形成されている。さらに、フック５４の先端近傍の両側面には、リング５３と直交する方向に向かって突出する小突起（コード抜け止め突起）５５が形成されている。
【００２１】
このようなコード掛止部５２に対し、コード３の一部を略Ｕ字状に湾曲させ、その湾曲部分をリング５３の片側からリング５３内に挿入し、フック５４の反対側に引っ掛ける。コード３には灯具２の重量による張力が働くので、図２中に想像線で示したように、湾曲したコード３とフック５４及びリング５３との摩擦によって、コード掛止部５２がコード３の任意の位置に掛止される。フック５４の先端近傍に形成されたコード抜け止め突起５５は、コード３がフック５４の先端側にずれてリング５３から脱落するのを防止する。
【００２２】
図１に例示した天井吊下灯１では、第１の支持具５が左側の灯具２と中央の灯具２との間に架け渡され、第２の支持具５が中央の灯具２と右側の灯具２との間に架け渡されて、三個の灯具２がほぼ等間隔で保持されている。第１の支持具５の右端と第２の支持具５の左端とは重ねられて、中央の灯具２のコード３の同じ位置に掛止されている。
【００２３】
三本のコード３の上部は束ねられて、フランジ４の下面中央に設けられたコード引き出し穴４１に挿入されている。フランジ４の上部には略円筒状のコード収容部４２が設けられ、この中にコード３の余剰部分が巻き回された状態で収容されるとともに、各コード３をコード引き出し穴４１から任意の長さで引き出せるようになっている。
【００２４】
図３〜図４は、上記天井吊下灯１の灯具２の配置を変更した例を示す。これらの例では、三本の支持具５を用い、各支持具５を二個の灯具２の間に架け渡して、灯具２を平面視略三角形状に配置している。図３に示すように支持具５の傾斜を水平に近づけると各灯具２の間隔は拡がり、図４に示すように支持具５の傾斜を大きくすると、各灯具２の間隔は小さくなる。各灯具２を吊持するコード３の引き出し長さを変えれば、灯具２の高さ関係も自由に変化させることができる。
【００２５】
この天井吊下灯１は、灯具２及びコード３の個数をさらに増やし、それに合わせて多数の支持具５を掛止することにより、一層変化に富んだ形態で吊持することができる。支持具５については、長さの異なるものを複数種類、用意してもよい。
【００２６】
なお、支持具５のコード掛止部５２については、リング５３の側方を開口して略コ字状ないし略Ｕ字状に形成するとともに、フック５４も少し延長し、全体として三叉フォークのような形状とすることもできる。また、上記のようなコード抜け止め突起５５に替えて、フック５４の先端を皿頭状に拡径したり、リング５３側に突起等を形成するなどの形態によっても、コード抜け止め手段を構成することができる。
【産業上の利用可能性】
【００２７】
本発明の天井吊下灯は、主に住宅の屋内照明をはじめとする各種照明器具に適用することができる。また、本発明の支持具は、上記照明器具やこれに類似する天井吊り下げ型の小型設備、装飾品等の保持手段として幅広く利用することができる。
【図面の簡単な説明】
【００２８】
【図１】本発明に係る天井吊下灯の実施の形態を示す斜視図である。
【図２】上記天井吊下灯の支持具の部分拡大図であり、（ａ）はコード掛止部の正面図、（ｂ）はコード掛止部のＡ−Ａ断面図である。
【図３】上記天井吊下灯の他の吊持形態を示す斜視図である。
【図４】上記天井吊下灯の他の吊持形態を示す斜視図である。
【符号の説明】
【００２９】
１    天井吊下灯
２    灯具
３    コード
４    フランジ
５    支持具
５１  棒状体
５２  コード掛止部
５３  リング
５４  フック
５５  コード抜け止め突起
【図１】
2005038734.tif 000003
【図２】
2005038734.tif 000004
【図３】
2005038734.tif 000005
【図４】
2005038734.tif 000006